(57)【特許請求の範囲】
【請求項１】
弦楽器用保護部材であって、弦楽器のストラップピンに嵌合する嵌合部と、ストラップピンに装着した状態で床に立てて壁にもたれ掛けさせられるよう両端に足となる凸形状を有する底面と、を備え緩衝作用を有する材質で作られていることを特徴とする弦楽器用保護部材。
【請求項２】
前記嵌合部はストラップピンの係止部を嵌め込む第１孔と、前記係止部を支持する支柱部分を嵌め込む第２孔と、弾性的に変形して、前記支柱部分を前記第１孔と前記第２孔との間で通過可能とする通路と、を有することを特徴とする請求項１に記載の弦楽器用保護部材。
【請求項３】
ストラップをギターに装着した状態でもストラップピンに装着可能として、前記ストラップの外れ防止にもなる請求項１又は２の弦楽器用保護部材。
【発明の詳細な説明】
【技術分野】
【０００１】
本発明は、エレキギター、エレキベースギター、アコースティックギター等の弦楽器のストラップピンに固定することができる、ギター用保護部材に関するものである。
【背景技術】
【０００２】
図４のように、ストラップピン１はギターストラップ２を取り付けるための金具である。この部分は飛び出しているためギターの持ち運びや演奏時において、床、壁、他の機器にぶつけると、ストラップピン１やその取り付け部分であるギター本体３を破損する場合がある。
【０００３】
また図５(a)のように、ギターはソフトケース４に入れて持ち運びする場合があるが、その際に誤って地面に落下させると、その衝撃はストラップピン１に集中する。ストラップピン１は木製のギター本体３に木ネジで固定されているため、この部分に衝撃が加わると、木製のギター本体３が凹んでしまう。
【０００４】
またギターを演奏していない時は、図５(b)のように壁にもたれ掛けさせる場合がある。その際、ストラップピンがあるため、不安定な状態となり、ギターが倒れて破損することも考えられる。
【０００５】
これらの改善策として、ギターのストラップピン１に保護部材５を取り付けることで前述のストラップピン１やギター本体３の破損がなくなる。また、保護部材の底面７の適度な面積を平らにしてすべり止め形状とし図８のように装着すれば、図５(d)に示すように簡易なスタンドとしての役割を果たすこととなる。
【先行技術文献】
【特許文献】
【０００６】
ストラップピンの構造に関する実用新案
【特許文献１】実開平０１−０６２５９７公報
【発明の概要】
【発明が解決しようとする課題】
【０００７】
図４のように、ストラップピン１はギターストラップ２を取り付けるための金具である。この部分は飛び出しているためギターの持ち運びや演奏時において、床、壁、他の機器にぶつけると、ストラップピン１やその取り付け部分であるギター本体３を破損する場合がある。
【０００８】
また図５(a)のように、ギターはソフトケース４に入れて持ち運びする場合があるが、その際に誤って地面に落下させると、その衝撃はストラップピン１に集中する。ストラップピン１は木製のギター本体３に木ネジで固定されているため、この部分に衝撃が加わると、木製のギター本体３が凹んでしまう。
【０００９】
ギターを演奏していない時は、図５(b)のように壁にもたれ掛けさせる場合がある。その際、ストラップピン１があるため、不安定な状態となり、ギターが倒れて破損することも考えられる。
【００１０】
本発明の目的は、ギターのストラップピン１に簡単に取り付けてストラップピン１及びギター本体３を保護することができるギター用保護部材を提供することにある。
【課題を解決するための手段】
【００１１】
本発明のギター用保護部材は、ストラップピンを有するギター等の弦楽器において、ストラップピンのストラップを係止させるための係止部が嵌合する嵌合部を備え、緩衝作用を有する材質で作られている。
【００１２】
当該ギター用保護部材の嵌合部は、前記係止部を嵌め込む第１孔８と、前記係止部を支持する支柱１２を嵌め込む第２孔９と、弾性的に変形して、前記支柱部分を前記第１孔８と前記第２孔９との間で通過可能とする通路１０と、を有し、前記第１孔８にストラップピン１の係止部１１を嵌め込み、前記支柱１２が前記通路１０を通過するようにスライドさせることで装着が完了する。
【００１３】
底面形状の適度な大きさの当該ギター用保護部材は、ギター底部のストラップピン１に装着した状態でギターを床に立てて壁にもたれ掛けさせることを可能とする。
【００１４】
当該ギター用保護部材は、ストラップ２を装着した状態でストラップピン１に装着すれば、ストラップ２の外れ防止にもなりうる。
【発明の効果】
【００１５】
本発明の保護部材により、持ち運びや演奏時においてストラップピンやギター本体の破損がなくなる。また保護部材の底面を適度な面積で平らにしてすべり止め形状にすれば、簡易なスタンドとしての役割を果たすことが出来る。またストラップを着けたまま、当該保護部材を装着できるようにすることも可能である。さらに、ストラップ外れの効果も期待できる。
【図面の簡単な説明】
【００１６】
【図１】(a)は本発明の保護部材を示す上面図、(b)は同じく正面図、(c)は同じく底面図、(d) はＡ断面図である。
【図２】ストラップピンが本発明の保護部材に嵌る手順を示した図１のＡ断面図である。
【図３】(a)は本発明の簡易スタンド機能付保護部材を示す上面図、(b)は同じく側面図、(c)は同じく正面図、(d) は同じく底面図、(e) はＡ断面図である。
【図４】ギターストラップ２がストラップピン１に取り付けられた状態図である。
【図５】(a)はギターがソフトケース４に入れられた状態図である。(b)はギターを壁にもたれ掛けさせた状態図である。(c)は保護部材５を着けてソフトケース４に入れた状態図である。(d)は簡易スタンド機能付保護部材６を装着し壁にもたれ掛けさせた状態図である。
【図６】は保護部材５がギターに取り付けられた状態図である。
【図７】はストラップ２を着けたまま保護部材５がギターに取り付けられた状態図である。
【図８】は簡易スタンド機能付保護部材６がギターに取り付けられた状態図である。
【図９】(a)は市販されているストラップピンの斜視図、(b)は同じく側面図である。
【発明を実施するための形態】
【００１７】
以下、本発明を図の具体例を用いて詳細に説明する。
【００１８】
本発明品は、ギターのストラップピン１の係止部１１を保護部材５の第１孔８に挿入し、ストラップピンの支柱１２を、弾性的に保護部材５の通路１０を通過させて、第２孔９の位置に置くことでストラップピン１と嵌合させることができる。
【００１９】
保護部材５の通路１０の幅はストラップピン１の支柱部１２の直径よりも、小さいため、嵌合した保護部材５はストラップピン１から容易に脱落することはない。
【００２０】
図６は保護部材５をギターに取り付けた状態図である。この状態であれば、図５(c)のようにギターのソフトケース４に入れた状態で、ストラップピン１側から地面に落下させてもギターは壊れにくい。
【００２１】
図３の簡易スタンド機能付保護部材６は形状を簡易なスタンドとしての役割を果たすようにしたものである。ギター本体３の形状に合わせた凹形状とし、図１の保護部材５と同じ嵌合部の形状を持ち、図２のように保護部材５と同じやり方で容易にストラップピン１に嵌めることが可能である。
【００２２】
図５(d)は簡易スタンド機能付保護部材６をギターに付けて床に置いた状態図である。部屋でギターを弾く人は椅子に座る場合が多く、ストラップを付けないことも多い。この簡易スタンド機能付保護部材６を装着すれば、スタンドにもなるし、簡易スタンド機能付保護部材６を着けたまま椅子で演奏することも可能である。
【００２３】
図７のように、ストラップ２を着けたまま保護部材５を取り付けることで、演奏もその状態で可能であり、また演奏後も保護部材５とストラップ２を取り外すことなくそのままソフトケース４に収納できる。
【００２４】
保護部材の材質は、弾性のあるゴム、エラストマー樹脂、ポリエチレン、ポリプロピレン等が考えられる。ストラップピン１と嵌合する部分を板バネにして、インサート成型することも想定される。
【符号の説明】
【００２５】
１ストラップピン
２ストラップ
３ギター本体
４ソフトケース
５保護部材
６簡易スタンド機能付保護部材
７保護部材の底面
８第１孔
９第２孔
１０通路
１１係止部
１２支柱
【要約】
【課題】ストラップピンはギターストラップを取り付けるための金具である。この部分は飛び出しているためギターの持ち運びや演奏時において、床、壁、他の機器にぶつけると、ストラップピンやその取り付け部分であるギター本体を破損する場合がある。
【解決手段】ギターのストラップピンに本発明の保護部材６を取り付けることで前述のストラップピンやギター本体が破損しづらくなる。また、保護部材の底面の適度な面積を平らにしてすべり止め形状にすれば、簡易なスタンドとしての役割を果たすこととなる。
【選択図】図７【図１】
0005892402.tif 000002
【図２】
0005892402.tif 000003
【図３】
0005892402.tif 000004
【図４】
0005892402.tif 000005
【図５】
0005892402.tif 000006
【図６】
0005892402.tif 000007
【図７】
0005892402.tif 000008
【図８】
0005892402.tif 000009
【図９】
0005892402.tif 000010